(57)【要約】【課題】電子写真方式の画像形成装置により凹版潜像と同等の潜像をトナーにより形成し、正面視における潜像パターンの目立ちを防止する。【解決手段】潜像パターンを構成する複数の潜像線Ｌ２については色材の付着量を多くすることで凹版潜像印刷と同様に色材を盛り上げることを可能とし、主走査方向に沿った第１の直線Ｌ１と副走査方向に沿った第２の直線Ｌ３とが直交すし、前記第１の直線Ｌ１と潜像線Ｌ２と、第２の直線Ｌ３との交点にランダムにドットＤを印字するカモフラージュパターンを潜像パターンの全面に対して合成することにより、これらの画像を用紙に印字した状態で、潜像パターンを正面から見た場合、潜像パターンが目立たなくなる。【選択図】図８
2011043822.tif 000002
【特許請求の範囲】
【請求項１】
潜像画像の画像パターンを構成する離隔した複数の潜像線を生成すると共に、前記複数の潜像線により形成される潜像画像パターンに対して画像合成され、前記潜像画像パターンを用紙に印字した状態での正面視において、前記潜像画像パターンを目立たなくするカモフラージュパターンを生成する画像処理部と、前記画像処理部で生成された潜像線とカモフラージュパターンについて色材画像を形成し、前記潜像線に付着する色材量を潜像が出現する高さまで付着させる画像形成部と、前記画像形成部で形成した色材画像を用紙に転写する転写部と、前記用紙に転写された未定着色材画像を定着する定着部を有する電子写真方式の画像形成装置。
【請求項２】
潜像画像の画像パターンを構成する離隔した複数の潜像線を生成すると共に、前記複数の潜像線により形成される潜像画像パターンに対して画像合成され、前記潜像画像パターンを用紙に印字した状態での正面視において、前記潜像画像パターンを目立たなくする一様なパターンを有するカモフラージュパターンを生成する画像処理部と、前記画像処理部で生成された潜像線とカモフラージュパターンについて色材画像を形成し、前記潜像線に付着する色材量を潜像が出現する高さまで付着させる画像形成部と、前記画像形成部で形成した色材画像を用紙に転写する転写部と、前記用紙に転写された未定着色材画像を定着する定着部を有する電子写真方式の画像形成装置。
【請求項３】
潜像画像の画像パターンを構成する離隔した複数の潜像線を生成すると共に、前記複数の潜像線により形成される潜像画像パターンに対して画像合成され、前記潜像画像パターンを用紙に印字した状態での正面視において、前記潜像画像パターンを目立たなくするカモフラージュパターンを生成する画像処理部と、前記画像処理部で生成された潜像線とカモフラージュパターンについて色材画像を形成し、前記潜像線に付着する色材量を潜像が出現する高さまで付着させる画像形成部と、前記画像形成部で形成した色材画像を用紙に転写する転写部と、前記用紙に転写された未定着色材画像を定着する定着部を有し、前記カモフラージュパターンは複数の第１の直線と、複数の第２の直線とが互いに直交し、前記第１の直線と第２の直線の交点に前記潜像線の色材が定着された状態での線幅よりも大サイズのドットを形成した電子写真方式の画像形成装置。
【請求項４】
潜像画像の画像パターンを構成する離隔した複数の潜像線を生成すると共に、前記複数の潜像線により形成される潜像画像パターンに対して画像合成され、前記潜像画像パターンを用紙に印字した状態での正面視において、前記潜像画像パターンを目立たなくするカモフラージュパターンを生成する画像処理部と、前記画像処理部で生成された潜像線とカモフラージュパターンについて色材画像を形成し、前記潜像線に付着する色材量を潜像が出現する高さまで付着させる画像形成部と、前記画像形成部で形成した色材画像を用紙に転写する転写部と、前記用紙に転写された未定着色材画像を定着する定着部を有し、前記カモフラージュパターンは前記潜像線の形成方向と異なる方向に規則性を有して配置された複数の線により構成した電子写真方式の画像形成装置。
【請求項５】
前記カモフラージュパターンは、規則性がそれぞれ異なった複数種類のパターンが任意に選択可能に用意された請求項４に記載の電子写真方式の画像形成装置。
【請求項６】
潜像画像の画像パターンを構成する離隔した複数の潜像線を生成する第１の生成工程と、前記複数の潜像線により形成される潜像画像パターンに対して前記潜像画像パターンを用紙に印字した状態での正面視において、前記潜像画像パターンを目立たなくするカモフラージュパターンを生成する第２の生成工程と、前記第１の生成工程と前記第２の生成工程で生成された潜像線とカモフラージュパターンについて色材画像を形成し、前記潜像線に付着する色材量を潜像が出現する高さまで付着させる画像形成工程と、前記画像形成工程で形成した色材画像を用紙に転写する転写工程と、前記用紙に転写された未定着色材画像を定着する定着工程を有する電子写真方式の画像形成方法。
【請求項７】
潜像画像の画像パターンを構成する離隔した複数の潜像線を生成する第１の生成工程と、前記複数の潜像線により形成される潜像画像パターンに対して前記潜像画像パターンを用紙に印字した状態での正面視において、前記潜像画像パターンを目立たなくする一様なパターンを有するカモフラージュパターンを生成する第２の生成工程と、前記第１の生成工程と前記第２の生成工程で生成された潜像線とカモフラージュパターンについて色材画像を形成し、前記潜像線に付着する色材量を潜像が出現する高さまで付着させる画像形成工程と、前記画像形成工程で形成した色材画像を用紙に転写する転写工程と、前記用紙に転写された未定着色材画像を定着する定着工程を有する電子写真方式の画像形成方法。
【請求項８】
潜像画像の画像パターンを構成する離隔した複数の潜像線を生成する第１の生成工程と、前記複数の潜像線により形成される潜像画像パターンに対して前記潜像画像パターンを用紙に印字した状態での正面視において、前記潜像画像パターンを目立たなくするカモフラージュパターンを生成する第２の生成工程と、前記第１の生成工程と前記第２の生成工程で生成された潜像線とカモフラージュパターンについて色材画像を形成し、前記潜像線に付着する色材量を潜像が出現する高さまで付着させる画像形成工程と、前記画像形成工程で形成した色材画像を用紙に転写する転写工程と、前記用紙に転写された未定着色材画像を定着する定着工程を有し、前記カモフラージュパターンは複数の第１の直線と、複数の第２の直線とが互いに直交し、前記第１の直線と第２の直線の交点に前記潜像線の色材が定着された状態での線幅よりも大サイズのドットを形成した電子写真方式の画像形成方法。
【請求項９】
潜像画像の画像パターンを構成する離隔した複数の潜像線を生成する第１の生成工程と、前記複数の潜像線により形成される潜像画像パターンに対して前記潜像画像パターンを用紙に印字した状態での正面視において、前記潜像画像パターンを目立たなくするカモフラージュパターンを生成する第２の生成工程と、前記第１の生成工程と前記第２の生成工程で生成された潜像線とカモフラージュパターンについて色材画像を形成し、前記潜像線に付着する色材量を潜像が出現する高さまで付着させる画像形成工程と、前記画像形成工程で形成した色材画像を用紙に転写する転写工程と、前記用紙に転写された未定着色材画像を定着する定着工程を有し、前記カモフラージュパターンは前記潜像線の形成方向と異なる方向に規則性を有して配置された複数の線により構成した電子写真方式の画像形成方法。
【請求項１０】
前記カモフラージュパターンは、規則性がそれぞれ異なった複数種類のパターンが任意に選択可能に用意された請求項９に記載の電子写真方式の画像形成方法。
【請求項１１】
請求項請求項６から１０のいずれかに記載の画像形成方法により、用紙に潜像とカモフラージュパターンとの合成画像が形成した画像形成物。
【発明の詳細な説明】
【技術分野】
【０００１】
本発明の実施形態は、電子写真方式によりプリント用紙に凹版潜像を形成する画像形成装置に関する。
【背景技術】
【０００２】
従来、偽造防止技術の一つとして、商品券や証券等に凹版印刷により潜像を形成した凹版潜像が知られている。このような商品券や証券等に用いられる凹版印刷の原理について説明する。まず、図９に示すように、用紙１００上に盛り上がった状態で印刷できる特殊のインクにより幅ｗで印刷した第１の直線１０１と、通常のインク（盛り上がりがないインク）により幅ｗで印刷した第２の直線１０２とを一本の線として印刷した連続線１０３を一定ピッチで平行に複数本印刷した場合を想定する。ここで、矢印Ａで示す正面から用紙１００を見ると、図１０に示すように、複数の連続線１０３はそれぞれ一本の線として別々に見え、しかも第１の直線１０１と第２の直線１０２との境界も見えない一本の線として見える。この場合、連続線１０３は中間調濃度で見える。これに対し、矢印Ｂで示す正面に対して斜め方向から用紙１００を見ると、図１１に示すように、第１の直線１０１を構成する盛り上がったインクで第１の直線１０１の間の用紙１００の表面が隠される。そのため、これら第１の直線１０１が濃く見えて第２の直線１０２に対して濃淡が出現し、複数の第１の直線１０１が太い１本線１０４のように見える。すなわち、この１本線１０４が潜像をなすことになる。なお、矢印Ｃで示す側面から用紙１００を見ると、複数の連続線１０３は単に中間調濃度の複数本の連続線１０３としてそれぞれ別々に見える。
【０００３】
このような凹版印刷は、特殊なインクを使用し、極めて高度な印刷技術を要し、凹版も非常に高価なものとなっている。
【０００４】
そして、凹版潜像が印刷された商品券や証券等の印刷物は、印刷物を斜めから見ることで初めて凹版潜像が出現することが確認できれば、当該印刷物が本物であることの証となる。しかし、正面から凹版潜像印刷箇所を見たときに、潜像が僅かでも見えた場合には真贋に疑念が生じるため、当該印刷物は本物として取り扱うことができなくなる。
【発明の概要】
【発明が解決しようとする課題】
【０００５】
従来の凹版潜像の印刷技術は極めて高度であり、また高コストであることから、限られた範囲で使用されていた。しかし、凹版印刷用の凹版を不要としてプリンタから文字，図形，記号，数字等の記録画像と共に、凹版潜像が形成できれば、プリントアウトされた用紙そのものが原本であることを保証できる原本性の保証、情報漏洩の防止、偽造・不正コピーの防止を簡単に行うことができる。
【０００６】
そこで、本発明者は、電子写真方式の画像形成装置に着目し、トナー等の色材を盛り上げて凹版潜像と同等の潜像を形成可能とする本発明を為すにいたったものである。
【課題を解決するための手段】
【０００７】
実施形態の画像形成装置の構成は、潜像画像の画像パターンを構成する離隔した複数の潜像線を生成すると共に、前記複数の潜像線により形成される潜像画像パターンに対して画像合成され、前記潜像画像パターンを用紙に印字した状態での正面視において、前記潜像画像パターンを目立たなくするカモフラージュパターンを生成する画像処理部と、前記画像処理部で生成された潜像線とカモフラージュパターンについて色材画像を形成し、前記潜像線に付着する色材量を潜像が出現する高さまで付着させる画像形成部と、前記画像形成部で形成した色材画像を用紙に転写する転写部と、前記用紙に転写された未定着色材画像を定着する定着部を有する電子写真方式の画像形成装置とするものである。
【図面の簡単な説明】
【０００８】
【図１】本実施形態による画像形成装置の概略構成を示す縦断面図である。
【図２】本実施形態による画像形成装置のシステム構成を示すブロック図である。
【図３】本実施形態による画像形成装置の操作部を示し、表示部に示す他のカモフラージュパターンの拡大図を示す。
【図４】本実施形態による画像形成装置によりプリントされた潜像付きの用紙の一例を示す図である。
【図５】電子写真方式により形成した未定着状態の凹版潜像の一例を示す図である。
【図６】図５の凹版潜像を用紙に定着した状態の一例を示す図である。
【図７】用紙の潜像表示部にドット無しカモフラージュパターンにより潜像をカモフラージュした一例を示す図である。
【図８】用紙の潜像表示部に形成したドット付きカモフラージュパターンにより潜像をカモフラージュした一例を示す図である。
【図９】凹版潜像について説明するための図である。
【図１０】図９のＡ矢視図である。
【図１１】図９のＢ矢視図である。
【発明を実施するための形態】
【０００９】
以下、本実施形態について、図面を用いて説明する。
図１は本実施形態による画像形成装置の実施形態を示す縦断面図である。また、図２は、本実施形態による画像形成装置のシステム構成を示すブロック図である。
また、図３は画像形成装置の操作部を示し、表示部に示す他のカモフラージュパターンの拡大図を示す。
【００１０】
図１、図２において、本実施形態の画像形成装置１は、電子写真方式の多機能プリンタ（ＭＦＰ）で、装置本体２の上部に自動原稿供給装置（ＡＤＦ）３が配置され、原稿トレイ上に積載した原稿を一枚ずつ画像読取部（スキャナ）４に搬送する。画像読取部４は、ＡＤＦ３からの原稿を読取るモードと、原稿台ガラス５上に載置した原稿を読取るモードを有し、読取った原稿情報（スキャナデータ）が第１画像処理部６でＲＧＢスキャナデータに処理されてストレージ部１４に入力される。
【００１１】
また、パソコン１１からの原稿情報は、外部インターフェース部（外部Ｉ/Ｆ部）１２を介してプリンタコントローラ部１３に入力され、一旦ストレージ部１４にメモリされる。
【００１２】
ここで、ストレージ部１４は、原稿情報をメモリする第１メモリ１５と、後述する凹版潜像情報と後述するカモフラージュパターン情報がメモリされた第２メモリ１６を有し、通常プリントモードの場合には第１メモリ１５の原稿情報が第１メモリ制御部１７に入力され、第１メモリ制御部１７で制御された原稿情報が第２画像処理部１９に入力される。第２画像処理部１９は、処理部２０において、原稿情報についてＹ（イエロー）、Ｍ（マゼンタ）、Ｃ（シアン）、Ｋ（ブラック）の各色の画像データに分離する等の画像処理を施す。
【００１３】
ここで、原稿画像のみを印字する場合には、処理部２０から色毎の情報が画像形成部７に出力される。処理部２０では、トナーである色材の付着量を制限するための色材リミット部２１を有し、画像形成部７において感光体ドラムに付着するトナーの付着量を制限する。用紙に転写された未定着トナー画像の付着量（高さ）が多いと定着不良を招き、また色材の散りが発生するので、これらの現象を防止するために、色材の付着量を制限する。色材の付着量の制限方法としては、例えば、感光体ドラムの帯電電位、レーザー露光の出力等を制限する方法がある。
【００１４】
画像形成装置１の画像形成部７は、Ｙ（イエロー）、Ｍ（マゼンタ）、Ｃ（シアン）、Ｋ（ブラック）の色毎に設けられ（７Ｙ，７Ｍ，７Ｃ，７Ｋ）、各画像形成部（７Ｙ，７Ｍ，７Ｃ，７Ｋ）はそれぞれ感光体ドラム，レーザーユニット，現像器、帯電器、クリーニング装置等で構成されている。
【００１５】
各画像形成部（７Ｙ，７Ｍ，７Ｃ，７Ｋ）は色材であるＹ（イエロー）、Ｍ（マゼンタ）、Ｃ（シアン）、Ｋ（ブラック）の各色のトナーによりトナー画像をそれぞれ一次転写帯電器３４が配置された一次転写位置で中間転写ベルト８に順次重ねて形成し、二次転写帯電器３５が配置された転写位置で重なったトナー画像をプリント用のシートに転写する。そして、未定着トナー画像の転写されたシートは定着部９に向けて搬送され、定着部９において未定着トナー画像が加熱・加圧されてシートに定着され、定着済みのシートは、例えば片面プリントの場合には排紙トレイ１０に排紙される。
【００１６】
一方、ストレージ部１４の第２メモリ１６には、例えばパソコン１１で形成した潜像（潜像画像元データ）と、用紙に印字された潜像をカモフラージュする複数のカモフラージュパターンデータがメモリされている。第２メモリ１６にメモリされる潜像画像元データは、文字，図形，記号、画像データあるいはこれらを組み合わせ情報等により構成されていて、潜像印字選択スイッチ２４のＯＮ信号が制御部２３に出力されると、制御部２３は第２メモリ１６にメモリされている潜像画像元データを第２メモリ制御部１８に格納し、選択されたカモフラージュパターンデータを第１メモリ制御部１７に格納する。
【００１７】
なお、本実施形態における制御部２３、第１メモリ制御部１７、第２メモリ制御部１８、第２画像処理部１９、ストレージ部は、例えば、ＭＦＰに実装されるＣＰＵ８０１（Central processing unit）などの演算装置や、ＭＥＭＯＲＹ８０３、ＨＤＤ８０４等の記憶装置により実現することができる。なお、ＣＰＵ８０１は、同等の演算処理を実行可能なＭＰＵ（Micro Processing Unit）により代替することも可能であることは言うまでもない。また、ＨＤＤ８０４についても同様に、例えばフラッシュメモリ等の記憶装置により代替可能である。
【００１８】
本実施形態において、潜像印字選択スイッチ２４のＯＮ信号が制御部２３に出力されると、図３に示すように、画像形成装置１の操作部２６に設けられている液晶パネル等からなる表示部２７に複数のカモフラージュパターンが表示され、例えばパネルスイッチで構成されるカモフラージュパターン選択スイッチ２５により選択したカモフラージュパターンが第１メモリ制御部１７に格納される。
【００１９】
図４は、プリント用の用紙Ｓに画像印字部Ｓ１と潜像印字部Ｓ２を印字した状態を示しており、画像印字部Ｓ１の画像は色材リミット部２１により色材量が制限されて所定量（所定高さ）以上にならないようにしている。また前記カモフラージュパターンは、画像印字部Ｓ１に印字される画像と同様の高さを備えていれば良いので、処理部２０の色材リミット部２１により色材量が制限される。
【００２０】
これに対し、潜像印字部Ｓ２に印字される潜像を構成する線は図９〜図１１に示すように、ある程度の高さを必要とする。そこで色材リミット部２１による制限を受けずにトナーが盛り上がるようにするため、色材リミット部２１の後段側に設けた画像合成部２２に潜像画像データを第２制御部１８から出力する。
【００２１】
制御部２３は、第２メモリ制御部１８から画像合成部２２に合成用画像データ２３ａを出力する。また、制御部２３は合成用画像ＯＮ/ＯＦＦ制御信号２３ｂを画像合成部２２に出力し、合成用画像ＯＮ/ＯＦＦ制御信号２３ｂが「０」の場合には画像合成はなし、「１」の場合には画像合成の指示を行う。すなわち、潜像印字部Ｓ２において、例えば図５に示す「Ｐ」の潜像を形成する場合、図の左右方向を主走査方向、上下方向を副走査方向とすると、主走査方向に沿った第１の直線Ｌ１中で文字画像に寄与する主走査方向に沿った潜像線Ｌ２を形成するタイミングで合成用画像ＯＮ/ＯＦＦ制御信号２３ｂを「１」とし、それ以外では「０」とする。但し、文字の中の空白部分については第１の直線Ｌ１は形成していないが、副走査方向に沿った第２の直線Ｌ３を形成している。なお、第２の直線Ｌ３は潜像の形成に寄与していない。そして、多数本の第１の直線Ｌ１と第２の直線Ｌ３とからなるパターンをカモフラージュパターンの一例としている。
【００２２】
図５は、未定着トナー画像により潜像「Ｐ」が形成された状態を示しており、第１の直線Ｌ１と潜像線Ｌ２とは同一の線幅に形成されている。しかし、未定着トナー画像が担持された用紙Ｓが定着器９を通過して、トナーが加熱、加圧されると、図６に示すように、潜像線Ｌ２はトナーが盛り上がっていたため、第１の直線Ｌ１中の潜像線Ｌ２が形成されていない線（非潜像形成線部）に比べて潜像線Ｌ２の線幅が太くなる。このため、用紙Ｓの潜像印字部Ｓ２を正面から見ると、この線幅の相違により潜像「Ｐ」が視認されてしまう。なお、図５及び図６は線幅が大きく相違するように描き、また理解容易とするために、第１の直線Ｌ１と第２の直線Ｌ３との間隔を実際よりも広くして描いている。
【００２３】
また、レーザービームにより形成される潜像線Ｌ２の線幅は非常に細いため、潜像線Ｌ２を構成するために色材を盛り上げても定着不良が発生することはない。さらに、制御部２３は各色材を盛り上げるための重み付け係数（％）２３ｃを画像合成部２２に出力し、画像合成部２２に出力された各色の合成用画像データ２３ａに対し、重み付け係数を掛け合わせて潜像形成に必要な量の色材による未定着トナー画像を形成する。
【００２４】
図６に示すように、互いに直交する第１の直線Ｌ１と第２の直線Ｌ３で示されるカモフラージュパターンでは、正面からの目視により線幅が太くなった潜像線Ｌ２と非潜像形成線部とを区別可能である。
【００２５】
そこで、定着処理により線幅が太くなった潜像線Ｌ２を見かけ上目立たなくするために、定着済み潜像線Ｌ２の線幅よりもはみ出る程度の直径を有するドットを第１の直線Ｌ１潜像線Ｌ２と第２の直線Ｌ３との交点に多数のドットＤをランダムに形成する。多数のドットにより、定着済み潜像線Ｌ２に対し、第１の直線Ｌ１と第２の直線Ｌ３との線幅の相違が目立たなくなる。
【００２６】
図７は、潜像印字部Ｓ２に「１０４８」の潜像を多数本の第１の直線Ｌ１と第２の直線Ｌ２からなるカモフラージュパターンと共に形成した図を示し、図８は、図７と同様に、潜像印字部Ｓ２に「１０４８」の潜像を多数本の第１の直線Ｌ１と第２の直線Ｌ２からなるカモフラージュパターンと共に形成し、さらに第１の直線Ｌ１と潜像線Ｌ２と第２の直線Ｌ３との交点に多数のドットＤをランダムに形成した状態の正面図を示す。
【００２７】
図８では、図示の如く、潜像「１０４８」が図７と比較して目立たなくなっていることが確認される。なお、ドットＤをランダムに形成しているが、部分拡大図に示すように、斜め方向に規則性を有して配置するようにしても良い。これは、人間の目は垂直、水平方向の線に目が付きやすいため、斜め方向にパターンを付加することで、垂直線、平行線を目立たなくさせることによる。
また、第１の直線Ｌ１、第２の直線Ｌ３、潜像線Ｌ２およびドットＤは全て同色に形成されている。
【００２８】
本実施形態では、互いに直交する第１の直線Ｌ１と潜像線Ｌ２と第２の直線Ｌ３の交点にドットＤを形成したカモフラージュパターンにより、定着済みの潜像線Ｌの太くなった線幅を目立たなくすることを説明したが、本発明はこれに限定されるものではなく、図３に示す他の形状のカモフラージュパターンであってもよい。
【００２９】
図３の表示部２７には、波型模様のカモフラージュパターン３０、多数本の斜めの線を狭いピッチで交差させて菱形の空間を小さくした交差模様の第１カモフラージュパターン３１、鱗模様のカモフラージュパターン３２、第１カモフラージュパターン３１よりも斜めの線のピッチを広くして菱形空間を大きくした交差模様の第２カモフラージュパターン３３が用意されている。
【００３０】
これら４種類のカモフラージュパターン３０〜３３は、潜像パターンと異なる規則性を有しており、ドット付きカモフラージュパターンと同様の作用効果を発揮する。
【００３１】
次に、潜像印字モードを選択した場合の画像形成動作を説明する。
操作部２６に設けられた潜像印字選択スイッチ２４のＯＮにより、画像合成部２２に潜像画像データが出力され、潜像印字部Ｓ２に色材の盛り上げを許容した潜像画像の形成を可能とし、スタートスイッチ２９がＯＮされるのを待つ。また、画像処理部２２では画像印字部Ｓ１に印字する原稿情報と、選択されたカモフラージュパターン（図８のカモフラージュパターンが選択された場合を例にする）のパターン情報を画像処理部２１に出力し、スタートスイッチ２９がＯＮされるのを待つ。
【００３２】
スタートスイッチ２９がＯＮされると、色材リミット部２１で色材付着量を制限した各色の画像信号が各色の画像形成部７に出力され、また、潜像印字部に印字する第１の直線Ｌ１（潜像線Ｌ２を除く）と第２の直線Ｌ３と、ドットＤ（潜像線Ｌ２上に形成されるドットＤについては、潜像線２からはみ出た部分）からなるカモフラージュパターンが各色の画像形成部７に出力される。そして、画像合成部２２から色材リミットが解除された各色の潜像画像信号が画像形成部７に出力される。
【００３３】
具体的には、各色の画像形成部（７Ｙ，７Ｍ，７Ｃ，７Ｋ）の感光体ドラムにレーザー露光光学系により主走査方向に画像光がスキャンされ、現像器により画像部分にトナーが付着し、感光体ドラム上のトナー画像が中間転写ベルト８に一次転写帯電器３４により一次転写位置で転写される。現像器により感光体ドラムに形成された潜像（凹版潜像とは異なる）に付着するトナー量は、色材リミット部２１で制限を受けた画像については最大量が規定されるのに対し、色材リミット部２１を経ずに画像合成部２２に出力された潜像画像については凹版潜像としての効果が得られる高さとなるように制限されたトナー付着量を超えて現像される。なお、画像印字部Ｓ１に形成される画像は、レーザー露光光学系によりスキャンする主走査方向の線間隔に比較して、潜像印字部Ｓ２に印字する潜像を構成する潜像線Ｌ２の間隔は広く形成され、定着状態の個々の潜像線Ｌ２が間隔を有するようにしている。したがって、第１の直線Ｌ１と第２の直線Ｌ２も潜像線Ｌ２の間隔に合わせてその間隔が設定される。
【００３４】
そして、各色の画像形成部（７Ｙ，７Ｍ，７Ｃ，７Ｋ）は、図４に示すように、プリント用の用紙Ｓの画像印字部Ｓ１に色材リミット部２１によりトナー付着量の最大値が制限された原稿画像を形成し、用紙Ｓの潜像印字部Ｓ２に色材リミット部２１によりトナー付着量の最大値が制限されたドット付きカモフラージュパターンを形成する。また、潜像印字部Ｓ２における潜像については、潜像線Ｌ２がトナー付着量の制限を受けることなく設定した付着量（高さ）で形成される。なお、ドット付きカモフラージュパターン（第１の直線Ｌ１と第２の直線Ｌ３）と潜像線Ｌ２を同色として中間転写ベルト８にＹ，Ｍ，Ｃ，Ｋの順に担持され、二次転写帯電器３５により二次転写位置において用紙Ｓに転写される。そして、用紙Ｓの原稿印字部Ｓ１と潜像印字部Ｓ２における未定着トナー像が定着部９で加熱、加圧により用紙Ｓに定着され、排紙トレイ１０に排紙される。
【００３５】
潜像印字部Ｓ２における定着済みの画像は、例えば図８に示すように、「１０４８」の数字を第１の直線Ｌ１と同一線上の盛り上がった潜像線Ｌ２により形成され、潜像線Ｌ２の線幅が定着により第１の直線Ｌ１の線幅よりも太くなっても、ドットＤのカモフラージュ効果により、潜像線Ｌ２を正面から見ても第１の直線Ｌ１と見分けがつきにくくなる。そして、潜像印字部Ｓ２を正面に対して斜め上方から見ると、「１０４８」の潜像が視認されることになる。
【００３６】
上記した実施形態では、潜像表示部Ｓ２を用紙Ｓの上部に設定したが、これに限定されることはなく、用紙Ｓ上における印字可能な領域であればどのような領域に潜像表示部を設定することができる。
【００３７】
上述の画像形成装置での処理における各動作は、メモリ８０２に格納されている画像形成プログラムをＣＰＵ ８０１などに実行させることにより実現されるものである。
更に、画像形成装置を構成するコンピュータにおいて上述した各動作を実行させるプログラムを、画像形成プログラムとして提供することができる。本実施の形態では、発明を実施する機能を実現するための当該プログラムが、装置内部に設けられた記憶領域に予め記録されている場合を例示したが、これに限らず同様のプログラムをネットワークから装置にダウンロードしても良いし、同様のプログラムをコン ピュータ読取可能な記録媒体に記憶させたものを装置にインストールしてもよい。記録媒体としては、プログラムを記憶でき、かつコンピュー タが読み取り可能な記録媒体であれば、その形態は何れの形態であっても良い。具体的に、記録媒体としては、例えば、ＲＯＭやＲＡＭ等のコンピュータに内部実装される内部記憶装置、ＣＤ−ＲＯＭやフレキシブルディスク、ＤＶＤディスク、光磁気ディスク、ＩＣカード等の可搬型 記憶媒体、コンピュータプログラムを保持するデータベース、或いは、他のコンピュータ並びにそのデータベースや、回線上の伝送媒体などが挙げられる。またこのように予めインストールやダウンロードにより得る機能は装置内部のＯＳ（オペレーティング・システム）等と共働して その機能を実現させるものであってもよい。
なお、プログラムは、その一部または全部が、動的に生成される実行モジュールであってもよい。
また、上述の各実施の形態にてプログラムをプロセッサに実行させることにより実現される各種処理は、その少なくとも一部を、ＡＳＩＣ８０２にて回路的に実行させることも可能であることは言うまでもない。
【００３８】
本実施形態によれば、電子写真方式の画像形成装置によって、凹版潜像と同様のお潜像パターンを用紙に印字することができ、カモフラージュパターンにより用紙に印字された潜像パターンを正面から見ても、潜像パターンが目立たなくなり、トナー等の色材が定着により線幅が太くなっても潜像としての役割を果たすことができる。
【符号の説明】
【００３９】
１  画像形成装置、２  装置本体、３  自動原稿供給装置（ＡＤＦ）、４  画像読取部（スキャナ）、５  原稿台ガラス、６  第１画像処理部、７（７Ｙ，７Ｍ，７Ｃ，７Ｋ）  画像形成部、８  中間転写ベルト、９  定着部、１０  排紙トレイ、
１１  パソコン、１２  外部インターフェース部（外部Ｉ/Ｆ部）、１３  プリンタコントローラ部、１４  ストレージ部、１５  第１メモリ、１６  第２メモリ、
１７  第１メモリ制御部、１８  第２メモリ制御部、１９  第２画像処理部、２０  処理部、２１  色材リミット部、２２  画像合成部、２３  制御部、２３ａ  合成用画像データ、２３ｂ  合成用画像ＯＮ/ＯＦＦ制御信号、２３ｃ  重み付け係数（％）、２４  潜像印字選択スイッチ、２５  カモフラージュパターン選択スイッチ、２６  操作部、２７  表示部、２８  スタートボタン、２９  スタートスイッチ、３０  波型模様のカモフラージュパターン、３１  交差模様の第１カモフラージュパターン、３２  鱗模様のカモフラージュパターン、３３  交差模様の第２カモフラージュパターン、Ｓ  用紙、Ｓ１  画像印字部、Ｓ２  潜像印字部、Ｌ１  第１の直線、Ｌ２  潜像線、Ｌ３  第２の直線、Ｄ  ドット
【先行技術文献】
【特許文献】
【００４０】
【特許文献１】特開平１１−２９１６０９号公報
【図１】
2011043822.tif 000003
【図２】
2011043822.tif 000004
【図３】
2011043822.tif 000005
【図４】
2011043822.tif 000006
【図５】
2011043822.tif 000007
【図６】
2011043822.tif 000008
【図７】
2011043822.tif 000009
【図８】
2011043822.tif 000010
【図９】
2011043822.tif 000011
【図１０】
2011043822.tif 000012
【図１１】
2011043822.tif 000013